(57)【要約】【課題】多数の小物を飾ることができ、かつ使用時に、従来品より仏壇の幅方向へ大きく展開し、さらに荘厳な雰囲気を演出できる仏壇を提供する。【解決手段】前面が開口した筐体の仏壇本体１１と、仏壇本体１１の開口部に配設され、かつ仏壇本体１１の開口を引き分け扉式に開閉するとともに、仏前に供える複数の小物１２が納められる左右一対の箱状のスライド棚１３と、各スライド棚１３の開口した前端部に配設されて、対応するスライド棚１３の開扉方向へ移動することで開蓋される左右一対の蓋体１４とを備えた。【選択図】図１
2019122540.tif 000002
【特許請求の範囲】
【請求項１】
前面が開口した筐体からなる仏壇本体と、
該仏壇本体の開口部に配設され、かつ前記仏壇本体の開口を引き分け扉式に開閉するとともに、左右一対の箱状のスライド棚と、
該各スライド棚の開口した前端部にそれぞれ設けられた左右一対の蓋体とを備えたことを特徴とする仏壇。
【請求項２】
前記各スライド棚は、対応する背板が棚内方に配された構造のもので、
前記仏壇本体の両側板の開口側の部分の内面には、対応するスライド棚の背面空間に先端部が配されて、これらのスライド棚のスライド幅を規制する左右一対の棚ストッパが配設されたことを特徴とする請求項１に記載の仏壇。
【請求項３】
前記仏壇本体の下部には、前記開口から突出した際に、開扉状態の前記各スライド棚の間に差し込まれて、該各スライド棚を位置決めする膳引が、前記開口から突没自在に収納されたことを特徴とする請求項１または請求項２に記載の仏壇。
【発明の詳細な説明】
【技術分野】
【０００１】
本発明は、仏壇に関し、詳しくはコンパクトに収納でき、かつ礼拝時には幅広い状態に展開可能な仏壇に関する。
【背景技術】
【０００２】
仏壇は、大型で重厚なものほど、宗教的に荘厳な雰囲気を醸し出し、家族等の祈る者に対して安らぎを与え、信仰心を高める。
【０００３】
ところが、大型化した仏壇は、その分だけ設置スペースも大きくなり、現代の住宅事情に適さない。
そのため、近年では、アパートやマンション等の手狭な居住空間でも場所をとらずコンパクトに設置可能な、例えば特許文献１に開示された仏壇が求められている。
【０００４】
特許文献１の仏壇は、前面が開口し、かつ仏像や位牌等を納める筐体からなる仏壇本体と、仏壇本体の開口部に配設されて、観音開き状に開閉する左右一対の扉とを備えたものである。
仏壇の不使用時には、扉を閉めることで仏壇のコンパクト化が図れる一方、使用時（礼拝時）には、観音開きの扉を開くことで、仏壇が幅方向（左右方向）へ広がったイメージを与えることができる。
【先行技術文献】
【特許文献】
【０００５】
【特許文献１】特開２００３−１４４３０５号公報
【発明の概要】
【発明が解決しようとする課題】
【０００６】
しかしながら、特許文献１の仏壇は、このように仏壇本体の扉を観音開きの構造としただけのものであるため、不使用時の仏壇のコンパクト化は図れるものの、礼拝時、仏壇本体の観音開きの扉を開いても、実際には、さほど大きく仏壇が幅方向に展開されてはいなかった。
【０００７】
さらに、近年のコンパクトな仏壇にあっては、仏像や位牌等が納められる仏壇本体の内部空間に、スペース的な余裕はほとんどない。
そのため、その内部空間に、例えば故人の思い出の品や花瓶等の多くの小物（装飾品）を供えることは困難であった。
【０００８】
また、近代的な住居において、仏壇もインテリアの一つとして捉える人が増えている。その人達から、平常時には小物のディスプレイラックとして利用が可能で、故人や仏に礼拝したい時にだけ本来の仏壇としての機能を果たせる、新規な仏壇の開発の要請があった。
【０００９】
そこで、発明者は鋭意研究の結果、仏壇本体の前面に、それぞれが仏壇の幅方向へスライドすることにより、仏壇本体の開口を開閉でき、かつ複数の小物を展示できる左右一対のスライド棚を配設すれば、上述した課題はすべて解消できることを知見し、本発明を完成させた。
【００１０】
本発明は、平常時、コンパクトに収納可能で、かつ礼拝時には、従来品より仏壇の幅方向へ大きく展開してより荘厳な雰囲気を醸し出すことができ、また仏前に複数の小物を供えることができ、さらには平常時には小物のディスプレイラックとしても利用可能な仏壇を提供することを目的としている。
【課題を解決するための手段】
【００１１】
第１に、前面が開口した筐体からなる仏壇本体と、該仏壇本体の開口部に配設され、かつ前記仏壇本体の開口を引き分け扉式に開閉するとともに、仏前に供える複数の小物が納められる左右一対の箱状のスライド棚と、該各スライド棚の開口した前端部にそれぞれ設けられ、かつ対応するスライド棚の開扉方向へ移動することで開蓋される左右一対の蓋体とを備えたことを特徴とする仏壇である。
【００１２】
仏壇は、携帯可能なものが好ましいが、据え置き式のものでもよい。
仏壇の素材は、任意である。
例えば、タモ材などの各種の木、各種のプラスチック、各種の金属などを採用することができる。
【００１３】
仏壇本体の形状は任意である。
例えば、矩形箱状でもよい。
小物の種類は、限定されない。
例えば、花瓶、湯飲み、お守り、額縁、香炉、線香立て、火立、故人の時計等の仏前に供えられる物でも、鑑賞用のものでもよい。
【００１４】
ここでいうスライド棚とは、仏壇本体の開口を、仏壇の左右方向へ引き分け扉式に開閉可能で、かつ複数の小物を載置可能な箱状のラックである。
スライド棚の形状は、任意である。
例えば、縦長または横長な矩形箱状でもよい。
【００１５】
蓋体の形状は、スライド棚の前面の開口を塞ぐことができれば任意である。
蓋体をスライド棚の開扉方向（閉扉方向）へ移動させる構造は、任意である。
例えば、ヒンジ構造、スライド構造などを採用することができる。
【００１６】
第２に、前記各スライド棚は、対応する背板が棚内方に配された上げ底構造のもので、前記仏壇本体の両側板の開口側の部分の内面には、対応するスライド棚の背面空間に先端部が配されて、これらのスライド棚のスライド幅を規制する左右一対の棚ストッパが配設されたことを特徴とする、上記第１に記載の仏壇である。
【００１７】
ここでいう“スライド棚の上げ底構造”とは、背板を下に向けてスライド棚を水平面に載置したとき、この水平面と背板の下面との間に背面空間が現出するような構造をいう。
背面空間の高さ（この水平面と背板の下面との間の長さ）は、限定されない。
例えば、１ｃｍ〜３ｃｍである。
【００１８】
第３に、前記仏壇本体の下部には、前記開口から突出した際に、開扉状態の前記各スライド棚の間に差し込まれて、該各スライド棚を位置決めする膳引が、前記開口から突没自在に収納されたことを特徴とする、上記第１または第２に記載の仏壇である。
【００１９】
膳引の素材は、限定されない。
例えば、各種の木、各種のプラスチック、各種の金属等を採用することができる。
なお、難燃性素材（塗装を含む）が好ましい。
膳引の形状も、任意である。
一般的は、矩形状である。
【００２０】
第４に、前記各スライド棚の閉扉側の側板には、対応するもの同士が磁着することで、該各スライド棚の閉扉状態を維持する複数の第１のマグネットが対配置されたことを特徴とする上記第１〜第３のうち、何れか一つに記載の仏壇である。
【００２１】
マグネットの種類は、任意である。
永久磁石が好ましいが、電磁石でもよい。
マグネットの形状は、任意である。
例えば、円板状、矩形板状などである。
第１のマグネットの使用数は、各スライド棚の閉扉側の側板の対向位置に、少なくとも１対ずつ配されていれば任意である。
【００２２】
第５に、前記仏壇本体の天板の下面には、電池式のライトが着脱可能に取り付けられたことを特徴とする上記第１〜第４のうち、何れか一つ記載の仏壇である。
【００２３】
ライトの種類は、任意である。
例えば、電球式、蛍光灯式、ＬＥＤ式などでもよい。
ライトの形状は、限定されない。
例えば、平面視して円形、楕円形、矩形状などである。
【００２４】
ライトのスイッチの種類は、任意である。
例えば、タッチセンサ式のスイッチ、ボタンスイッチ、ヒモ引きスイッチでもよい。
【００２５】
電池の種類は、限定されない。
例えば、マンガン乾電池、アルカリ乾電池、リチウム乾電池などの各種の乾電池（充電式のものを含む）を採用することができる。
【００２６】
ライトを仏壇本体の天板の下面に着脱自在に取り付ける構造は、任意である。
例えば、マグネットによる磁着方式、面ファスナ等の掛止部材による掛止構造などでもよい。
【００２７】
第６に、前記各スライド棚には、対応する内部空間を、少なくとも上下の部分空間に区画する仕切り板が着脱自在に設けられ、前記各内部空間を上下に区画する仕切り板の裏側と、前記各スライド棚の下板の裏側とには、対応する部分空間に収納されて、少なくとも底部に磁性材が配された前記各小物を磁着するための複数の第２のマグネットが埋設されたことを特徴とする、上記第１〜第５のうち、何れか一つに記載の仏壇である。
【００２８】
“スライド棚の内部空間を、少なくとも上下の部分空間に区画する”とは、例えば、この内部空間を上下の部分空間のみ、または、上下だけでなく左右の部分空間にも区画することをいう。
【００２９】
仕切り板の素材としては、例えば、各種の木、各種のプラスチック、各種の金属などを採用することができる。
仕切り板の使用枚数は、任意である。
１枚でも、２枚以上でもよい。
さらに、第２のマグネットの使用個数は、限定されない。
１個でも複数個でもよい。
また、第２のマグネットは、仕切り板やスライド棚の下板の各内部に形成された空洞に収納してもよい。
【００３０】
ここでいう“少なくとも底部に磁性材が配された小物”とは、小物の全体が磁性材からなるものだけでなく、小物の底部のみが磁性材からなるものを含む。
さらには、小物自体は磁性材ではないが、その底部に、例えばマグネットシートや鉄板などの別の磁性材を取り付けたものでもよい。
【００３１】
第７に、前記仏壇は、前記仏壇本体の天板の上面に握り部を設けた携帯性を有するもので、前記仏壇本体の内部空間は、仏具が載置される台板により上下に仕切られ、該台版より下方の空間には、貴重品を含む被保管物を保管する引き出しが収納されたことを特徴とする上記第１〜第６のうち、何れか一つに記載の仏壇である。
【００３２】
握り部の素材は、任意である。
例えば、各種の木、各種のプラスチック、各種の金属などでもよい。
“携帯性を有する仏壇”とは、一般成人男性が持ち運べる重さや大きさであることをいう。
例えば、１０ｋｇ以下で、かつ１ｍ３以下の仏壇をいう。
【００３３】
仏具としては、例えば、仏像、本尊の掛け軸、香炉、火立、花瓶、供物皿、線香立てなどを採用することができる。
台板とは、仏像など仏具を載置するための板状の台である。
【００３４】
貴重品としては、例えば、財布、印鑑、預金通帳、有価証券、各種の保険証、各種の権利証などを採用することができる。
被保管物としては、例えば、数珠、輪袈裟、ロウソク、線香、ハンカチ、ティッシュなどを採用することができる。
引き出しの構造、素材、サイズ、形状、個数などは任意である。
【発明の効果】
【００３５】
第１の発明によれば、仏壇本体の前面の開口部において、両スライド棚を左右へ引き分けることで、仏壇本体が開くことで、左右に広げることができる。
また、各スライド棚において、各蓋体を開扉方向へ移動させることで、各スライド棚の前面が開くことができる。
これにより、仏壇本体の両側方には、複数の小物が納められた左右一対のスライド棚と、左右一対の蓋体とが外方へ２段階に展開される。
【００３６】
このように、仏壇本体の開口部に、仏壇の幅方向へスライドする左右一対の蓋付きのスライド棚を配設したため、不使用時における仏壇のコンパクト化が図れ、かつ仏前に複数の小物を供えることができるとともに、使用時には、従来品より幅方向へ大きく展開して、さらに荘厳な雰囲気の中でお参りをすることができる。
【００３７】
また、平常時には、各スライド棚を閉扉した状態のまま、各蓋体のみを開蓋することで、仏壇を小物のディスプレイラックとして利用することができる。
【００３８】
第２の発明によれば、各スライド棚を上げ底構造の箱体とし、仏壇本体の両側板の開口側の部分の内面に、各先端部が、対応するスライド棚の背面空間に配された左右一対の棚ストッパを配設した。
【００３９】
これにより、各スライド棚の開扉時、各棚ストッパの先端部が、対応するスライド棚の閉扉側の側板の内面に当接することで、各スライド棚の開扉方向へのスライドが規制され、各スライド棚が開扉位置に停止する。
【００４０】
一方、各スライド棚の閉扉時、各棚ストッパの先端部が、対応するスライド棚の開扉側の側板の内面に当接することで、各スライド棚の閉扉方向へのスライドが規制され、各スライド棚が閉扉位置に停止する。
【００４１】
このように構成したため、各スライド棚に対して１つの棚ストッパを仏壇本体に設けるだけで、各スライド棚のスライド幅を、開扉位置と閉扉位置との長さに規制することができる。
【００４２】
第３の発明によれば、まず、各スライド棚を開扉方向へスライドさせる（開扉位置に配置させる）。
その後、仏壇本体の開口の下部から、膳引を前方へ突出させる。
これにより、開扉状態の各スライド棚の間に膳引が差し込まれて、これらのスライド棚が閉扉方向へ移動しないように、位置決めすることができる。
【００４３】
第４の発明によれば、各スライド棚の閉扉側の側板に、第１のマグネットを対配置したため、各スライド棚の閉扉時、対応する第１のマグネット同士が磁着する。
これにより、各スライド棚の閉扉状態を維持することができる。
【００４４】
第５の発明によれば、仏壇本体の天板の下面に、電池式のライトを着脱可能に取り付けたため、通常は仏壇内部を照らすことができると共に、停電時等にライトを取り外し、懐中電灯として利用することもできる。
【００４５】
第６の発明によれば、各スライド棚に仕切り板を着脱自在に取り付けたため、所望により各スライド棚の内部空間を複数の部分空間に区画することができる。
これにより、さらに多くの小物を仏前に供えることができる。
【００４６】
また、各スライド棚の内部空間を上下に区画する仕切り板の裏側と、各スライド棚の下板の裏側とに第２のマグネットをそれぞれ埋設したため、対応する部分空間において、少なくとも底部に磁性材が配された各小物を磁着することができる。
これにより、例えば、地震発生時や仏壇を移動する際に、各小物の位置ずれや転倒を防止することができる。
【００４７】
第７の発明によれば、仏壇は携帯可能なものであり、かつ仏壇本体の天板には握り部を設けたため、握り部を握って仏壇を持ち運ぶことができる。
これにより、例えば、所望の場所に仏壇を移動させたり、引っ越しや災害時にも容易に仏壇を運ぶことができる。
また、仏具が載置される台板の下方空間に貴重品を含む被保管物を保管する引き出しを収納したため、例えば非常時に、仏壇とともに貴重品を含む被保管物を持ち出すことができる。
【図面の簡単な説明】
【００４８】
【図１】本発明の一実施例に係る仏壇の使用状態の斜視図である。
【図２】本発明の一実施例に係る仏壇の幅方向の中間部において、その奥行き方向と平行な断面図である。
【図３】本発明の一実施例に係る仏壇のライトの磁着状態を示す要部拡大縦断面図である。
【図４】本発明の一実施例に係る仏壇の膳引を利用したスライド棚の開扉位置決め状態を示す要部拡大斜視図である。
【図５】本発明の一実施例に係る仏壇における小物の磁着状態を示す要部拡大縦断面図である。
【図６】本発明の一実施例に係る仏壇の平常状態（閉じた状態）を示す正面図である。
【図７】本発明の一実施例に係る仏壇を小物のディスプレイラックとして使用した状態を示す正面図である。
【発明を実施するための形態】
【００４９】
以下、本発明の実施例を具体的に説明する。
ここでは、携帯性を有する木製の仏壇を例とする。
なお、説明の都合上、仏壇の左右方向を“幅方向”、仏壇の前後方向を“奥行き方向”、仏壇の上下方向を“高さ方向”という場合がある。
【００５０】
図１おいて、１０は本発明の一実施例に係る仏壇である。
この仏壇１０は、全体が木製で、重さが４．５ｋｇ程度の携帯可能なもので、前面が開口した筐体からなる仏壇本体１１と、仏壇本体１１の開口部に配設され、かつ仏壇本体１１の開口を引き分け扉式に開閉するとともに、仏前に供える複数の小物１２が納められる左右一対の箱状のスライド棚１３と、各スライド棚１３の開口した前端部にそれぞれ設けられ、かつ対応するスライド棚１３の開扉方向へ移動することで開蓋される左右一対の蓋体１４とを備えている。
【００５１】
以下、これらの構成部品を具体的に説明する。
図１および図２に示すように、仏壇本体１１は、幅３３０ｍｍ、奥行き２００ｍｍ、高さ３００ｍｍの矩形状の筐体である。
仏壇本体１１は、主に、天板１５、底板１６、左右の側板１７および背板４８により構成されている。
【００５２】
仏壇本体１１の両側板１７の前後方向の長さは、仏壇本体１１の開口部にスライド棚１３の収納スペースを確保するため、天板１５と底板１６との該当長さに比べて、スライド棚１３の側板４４の幅分だけ短くなっている。
【００５３】
また、天板１５の下面の中央部には、奥面に鉄板１８が固定された大径な円形凹部１９が形成されている（図３を参照）。
この円形凹部１９には、永久磁石４７を内蔵した乾電池式のライト２０の基部が、磁着状態で挿入されている。
ライト２０は、ＬＥＤ照明でかつタッチセンサを内蔵し、指がライト２０に接触する毎に、点灯スイッチのオンオフが繰り返される。
【００５４】
さらに、天板１５と底板１６の各前端部（開口部）には、その全長にわたって、左右方向に延びる１本のスライド溝２１がそれぞれ形成されている。
そして、各スライド溝２１に挿入される１本のスライド突条２２が、各スライド棚１３の上板３２の上面と、下板３３の下面とに、それぞれ形成されている。
各スライド棚１３は、各スライド溝２１と各スライド突条２２とを介して、仏壇本体１１の開口部で左右方向へ自在にスライドする。
これらのスライド棚１３の構造と、そのスライド幅の規制構造とについては、後述する。
【００５５】
仏壇本体１１の天板１５の上面の中央部には、横長な握り部２３が固定されている。
また、仏壇本体１１の内部空間は、その下部に水平状態で配された台板２４により上下に仕切られている。
台板２４の上には、本尊のスタンド掛軸２５や遺影２６等が飾られている。
【００５６】
また、台板２４の下方空間には、上から順に、通帳や印鑑などの貴重品を含む被保管物４５を保管する引き出し２７と、小物１２としての香炉の線香や火立のロウソクに火を点ける際に利用される膳引２８とが、それぞれ前方へ引き出し自在に収納されている（図４を参照）。
膳引２８は、その表面に難燃性塗装が施されている。
【００５７】
このうち、膳引２８の後端部（後辺部）の裏面には、その幅方向の中間部にガイド突起３０が形成されている（図２を参照）。
一方、仏壇本体１１の底板１６の内面（上面）のうち、その幅方向の中間部には、奥行き方向（前後方向）へ延びた１本のガイド溝２９が形成されている。
このガイド溝２９を膳引２８のガイド突起３０に挿入した状態で、膳引２８を押し引きすることで、これを前後方向へ自在にスライドさせる。
なお、ここでの膳引２８の前方への引き出し長さは、膳引２８の前後方向の長さの約半分とする。
【００５８】
次に、図１，図２および図５を参照して、各スライド棚１３について説明する。
２つのスライド棚１３は、同一構造である。
そのため、ここでは一方のスライド棚１３を例に説明する。
【００５９】
図１および図２に示すように、スライド棚１３は、幅１６０ｍｍ、奥行き４０ｍｍ、高さ２８０ｍｍの、前面が開口した縦長矩形状の箱体で、背板３１が若干棚内方に配され、背面空間ｃを有している。
具体的には、左右一対の側板４４と上板３２と下板３３とを矩形枠状に組み付け、その後側の開口を、小空間が形成されるように手前側に配置された背板３１により塞いだものである。
そのため、スライド棚１３の内部空間ａのうち、背板３１より後方は、背面空間ｃとなる。
【００６０】
また、スライド棚１３の閉扉側の側板４４には、その上下方向の両端部に、永久磁石である２つの小円板状の第１のマグネット３４がそれぞれ埋設されている。
各スライド棚１３の閉扉時、これらの第１のマグネット３４と、対応する別のスライド棚１３の閉扉側の側板４４に埋設された上下２つの第１のマグネット３４同士が磁着する。
これにより、各スライド棚１３の閉扉状態が維持される（図７も参照）。
【００６１】
さらに、この閉扉側の側板４４のうち、前端面の長さ（高さ方向）の中間部と、後述する蓋体１４の矩形枠４１のうち、その先端側の側枠部４１ａの長さ（高さ方向）の中間部とには、永久磁石である蓋体１４の閉蓋維持用の小円板磁石４６がそれぞれ埋設されている。
【００６２】
さらに、スライド棚１３のうち、各側板４４の内面の高さ方向の中間部と、上板３２と下板３３との左右方向の中間部とには、前後方向に延びる合計４本の差し込み溝３５が形成されている。
各側板４４の差し込み溝３５には、スライド棚１３の内部空間を上下に区画する水平仕切り板３６が、着脱自在に挿入されている。
【００６３】
一方、上板３２と下板３３との差し込み溝３５には、この内部空間を左右に区画する垂直仕切り板３７が、着脱自在に挿入されている。
水平仕切り板３６と垂直仕切り板３７との中間部分は、相欠き構造により連結されている。
【００６４】
このように、各スライド棚１３に各仕切り板３６，３７を着脱自在に取り付けたため、所望により各スライド棚１３の内部空間ａを、２つまたは４つの部分空間ｂに区画することができる。
これにより、さらに多くの小物１２を仏前に供えることができる。
【００６５】
また、各部分空間ｂにおいて、対応する水平仕切り板３６の中央部の裏側と、各スライド棚１３の下板３３の中央部の裏側とには、小円板状の永久磁石である第２のマグネット３８がそれぞれ嵌入されている（図５を参照）。
【００６６】
各第２のマグネット３８により、対応する部分空間ｂに収納された、鉄（磁性材）製の小さな花瓶や供物皿といった小物１２を磁着することができる。
これによって、例えば、地震発生時や仏壇１０を移動する際に、各小物１２の位置ずれや転倒を防止することができる。
なお、小物１２がプラスチック等の非磁性材からなる場合には、その小物１２の裏面に、例えば図示しないマグネットシール等の磁性材を貼着して、対応するようにしてもよい。
【００６７】
さらに、スライド棚１３の開扉側の側板４４には、上下一対のヒンジ３９を介して、前記蓋体１４の基端部が回動自在に連結されている。
蓋体１４は、スライド棚１３の開扉方向へ回動することで開蓋される。
【００６８】
次に、図１，図２および図６を参照して、蓋体１４について説明する。
図１，図２に示すように、蓋体１４は、縦長矩形状の表板４０と、表板４０の内面の外周部に固着された矩形枠４１とを有している。
表板４０の先端部の表側には、その全長にわたって、縦長な指掛け溝４３が形成されている（図６を参照）。
この指掛け溝４３に指を引っ掛けて、蓋体１４を開ける。
ここで、図示は省略するが、蓋体１４の内面のうち、矩形枠４１より内側領域には、例えば、故人の思い出の写真等を飾ることもできる。
【００６９】
また、図１に示すように、仏壇本体１１の両側面を構成する２枚の側板１７について、開口側の部分の内面の上部には、スライド棚１３の背面空間ｃに先端部４２ａが配されて、スライド棚１３のスライド幅を規制する棚ストッパ４２が、各々固定されている（図２を参照）。
棚ストッパ４２は、先端部４２ａが厚肉な木製のＬ字部材である。
【００７０】
次に、図１〜図７を参照して、本発明の一実施例に係る仏壇１０の使用方法について説明する。
【００７１】
まず、図６および図７に示すように、仏壇１０をディプレイラックとして使用する際には、仏壇１０を、例えば、ローラックに載置する。
図６に示すような閉扉および閉蓋状態の仏壇１０は、磁着状態の各小円板磁石４６によって、蓋体１４が閉じられている。
図７に示すように、左右一対の蓋体１４を開く際には、指掛け溝４３に指を掛け、各小円板磁石４６の磁力に抗して、蓋体１４を開く。
【００７２】
これにより、閉扉状態の各スライド棚１３の内部が露呈し、縦横に仕切られた部分空間ｂに収納された複数の小物１２が表れる。
使用者は、これらを鑑賞することができる。
また、各小物１２が故人に関わるものであれば、それらを眺めながら、故人を偲ぶことができる。
【００７３】
次に、図１，図２および図４に示すように、仏壇１０を本来の礼拝の目的で使用する際には、まず、互いに磁着した２対の第１のマグネット３４の磁力に抗して、左右のスライド棚１３を開扉方向へ引き分けて移動する（図１を参照）。
【００７４】
その際、各棚ストッパ４２の先端部が、対応するスライド棚１３の閉扉側の側板４４の内面に当接した時、各スライド棚１３の開扉方向へのスライドが規制され、各スライド棚１３が開扉位置に停止する（図２を参照）。
【００７５】
こうして、仏壇本体１１の内部空間Ａに配された本尊のスタンド掛軸２５や故人の遺影２６等が現れる。
しかも、仏壇本体１１の両側方には、複数の小物１２が納められた左右一対のスライド棚１３と、左右一対の蓋体１４とが外方へ２段階に展開している（図１を参照）。
【００７６】
次いで、仏壇本体１１の開口の下部に収納されている膳引２８を、前方へ引き出す（図４を参照）。
これにより、開扉状態の各スライド棚１３の間に、膳引２８が差し込まれ、左右一対のスライド棚１３が閉扉方向へ移動しないように位置決めされる。
【００７７】
家族等がお祈りする際には、この膳引２８の上で、香炉の線香や火立を置き、合掌する。
【００７８】
このように、仏壇本体１１の開口部に、仏壇１０の幅方向へスライドする左右一対のスライド棚１３を配設したため、仏壇１０のコンパクト化が図れ、かつ仏前に多数の小物１２を供えることができる。
【００７９】
しかも、礼拝の際には、仏壇１０が従来品に比べて、左右一対の各スライド棚１３および各蓋体１４により、左右両側方へ大きく展開される。
その結果、宗教的に、より荘厳な雰囲気を醸し出し、家族等の祈る者にさらなる安らぎを与え、信仰心を高めることができる。
【００８０】
なお、平常時には、各スライド棚１３を閉扉した状態のまま、各蓋体１４のみを開蓋することで、上述したように、仏壇１０を小物１２のディスプレイラックとして利用することもできる（図７を参照）。
【００８１】
次に、図１，図２，図４，図６および図７を参照して、仏壇１０をコンパクトに閉じる手順について説明する。
図１，図２および図４に示すように、まず膳引２８を仏壇本体１１の下部内の元の位置まで押し込むことで収納する。
これにより、各スライド棚１３について、膳引２８による閉扉方向への移動規制が解除される。
【００８２】
次いで、一方のスライド棚１３を閉扉方向へ押し、仏壇本体１１の前面の開口を徐々に閉じる。
そして、最終的には、各棚ストッパ４２の先端部が、対応するスライド棚１３の開扉側の側板４４の内面に当接する。
【００８３】
これにより、スライド棚１３の閉扉方向へのスライドが規制され、スライド棚１３が閉扉位置に停止する。
同様に、他方のスライド棚１３も、閉扉方向へ押し込む。
最後には、図７に示すように、各スライド棚１３の閉扉側の側板４４に対向配置された２対の第１のマグネット３４が互いに磁着する。
その結果、各スライド棚１３の閉扉状態を、維持することが可能となる。
その後、各蓋体１４を閉蓋する（図６を参照）。
【００８４】
このように、各スライド棚１３に対して棚ストッパ４２を設けることにより、各スライド棚１３のスライド幅を、開扉位置と閉扉位置とに規制することができる。
そして、左右一対の蓋体１４の各小円板磁石４６と、各スライド棚１３の対応する小円板磁石４６とが磁着し、各スライド棚１３の閉蓋状態が維持される。
【００８５】
仏壇１０を別の部屋へ移動させる場合は、図６に示すように、握り部２３を握り、仏壇１０を持ち上げて目的場所まで移動させる。
【００８６】
このように、仏壇１０を携帯可能な重さおよびサイズのものとし、かつ仏壇本体１１の天板１５には握り部２３を設けたため、握り部２３を握って仏壇１０を気軽に持ち運ぶことができる。
そのため、例えば、別の部屋や旅行先まで仏壇１０を運んだり、引っ越しや災害時にも容易に仏壇１０を運ぶことができる。
【００８７】
また、仏具が載置される台板２４の下方空間に貴重品を含む被保管物４５を保管する引き出し２７を収納したため、例えば非常時に、仏壇１０とともに被保管物４５も持ち出すことができる。
【００８８】
さらに、仏壇本体１１の天板１５の下面に、電池式のライト２０を着脱可能に取り付けたため、例えば停電時や災害時等にライト２０を取り外し、懐中電灯として利用することができる。
【符号の説明】
【００８９】
１０  仏壇
１１  仏壇本体
１２  小物
１３  スライド棚
１４  蓋体
１５  天板
１６  底板
１７  側板
１８  鉄板
１９  円形凹部
２０  ライト
２１  スライド溝
２２  スライド突条
２３  握り部
２４  台板
２５  本尊のスタンド掛軸
２６  遺影
２７  引き出し
２８  膳引
２９  ガイド溝
３０  ガイド突起
３１  背板
３２  上板
３３  下板
３４  第１のマグネット
３５  差し込み溝
３６  水平仕切り板
３７  垂直仕切り板
３８  第２のマグネット
３９  ヒンジ
４０  表板
４１  矩形枠
４１ａ  側枠部
４２  棚ストッパ
４２ａ  先端部
４３  指掛け溝
４４  側板
４５  被保管物
４６  小円板磁石
４７  永久磁石
４８  背板
Ａ  内部空間
ａ  スライド棚の内部空間
ｂ  部分空間
ｃ  背面空間
【図１】
2019122540.tif 000003
【図２】
2019122540.tif 000004
【図３】
2019122540.tif 000005
【図４】
2019122540.tif 000006
【図５】
2019122540.tif 000007
【図６】
2019122540.tif 000008
【図７】
2019122540.tif 000009